(57)【要約】【課題】スノーボード、スキー、そり等の雪上滑走用具の使用者の習熟の程度、雪面の状況に応じて簡単に雪上滑走用具の湾曲部の曲率を調整可能とする。【解決手段】前後一対のブラケット２、２と、伸縮具３とを具備し、前後一対のブラケット２、２をスノーボード９のデッキ上に前後方向に間隔を置いて取り付け、伸縮具３で前記前後一対のブラケット２、２の間隔を伸縮自在に調整することによりキャンバー部２３の曲率を調整可能とする。【選択図】    図２
2005013518.tif 000002
【特許請求の範囲】
【請求項１】
前後一対のブラケットと、該前後一対のブラケットの間に設けられた伸縮具とを具備し、雪上滑走用具のデッキ上に取り付けられる雪上滑走用具用湾曲調整具であって、
前記前後一対のブラケットは、前記雪上滑走用具のデッキ上に前後方向に間隔を置いて取り付けられるものであり、
前記伸縮具は、前記前後一対のブラケットの間隔を伸縮自在に調整するものであり、
前記伸縮具により前記前後一対のブラケットの間隔を調整することにより、前記雪上滑走用具に形成された湾曲部の曲率を調整可能とするものであることを特徴とする雪上滑走用具用湾曲調整具。
【請求項２】
前後一対のブラケットと、該前後一対のブラケットの間に設けられた伸縮具とを具備し雪上滑走用具のデッキ上に取り付けられる雪上滑走用具用湾曲調整具であって、
前記前後一対のブラケットは、夫々前記雪上滑走用具のキャンバー部の前後に前後方向に間隔を置いて取り付けられるものであり、
前記伸縮具は、前記前後一対のブラケットの間隔を伸縮自在に調整するものであり、前記伸縮具により前記前後一対のブラケットの間隔を調整することにより、前記雪上滑走用具のキャンバー部の湾曲の曲率を調整可能とするものであることを特徴とする雪上滑走用具用湾曲調整具。
【請求項３】
前記伸縮具は、前方ネジ付きロッドと後方ネジ付きロッドと、回転操作筒とを有し、
前記前方ネジ付きロッドは、その前端が前記一対のブラケットの前方のブラケットに枢着され、その後端が前記回転操作筒に螺着されており、
前記後方ネジ付きロッドは、その後端が前記一対のブラケットの後方のブラケットに枢着され、その前端が前記回転操作筒に螺着されており、
前記回転操作筒をその軸心を中心に、一方向に回転すると前方ネジ付きロッドと後方ネジ付きロッドを互いに近づかせ、該一方向の反対方向に回転すると前方ネジ付きロッドと後方ネジ付きロッドを互いに離れさせることを特徴とする請求項１又は２記載の雪上滑走用具用湾曲調整具。
【請求項４】
前記伸縮具は、バネを有する又はバネを介して前記ブラケットに取り付けられていることを特徴とする請求項１、２又は３記載の雪上滑走用具用湾曲調整具。
【請求項５】
前後一対のブラケットと、該前後一対のブラケットの間に設けられた伸縮具とを具備し、雪上滑走用具のデッキ上に取り付けられる雪上滑走用具用湾曲調整具であって、
前記前後一対のブラケットは、前記雪上滑走用具のデッキ上に前後方向に間隔を置いて取り付けられるものであり、
前記伸縮具は、前記前後一対のブラケットの間隔を小さくする又は大きくするように付勢する引っ張りバネ又は圧縮バネを有し、
前記伸縮具により前記前後一対のブラケットの間隔を小さくする又は大きくすることにより、前記雪上滑走用具に形成された湾曲部の曲率を調整可能とするものであることを特徴とする雪上滑走用具用湾曲調整具。
【請求項６】
前記前後一対のブラケットは、夫々前後のビンディングとは別体のものである又はビンディングの一部のものであることを特徴とする請求項１〜５のいずれか１項に記載の雪上滑走用具用湾曲調整具。
【請求項７】
請求項１〜６のいずれか１項に記載の雪上滑走用具用湾曲調整具が付設された雪上滑走用具。
【発明の詳細な説明】
【０００１】
【発明の属する技術分野】
本発明は、雪上滑走用具に付設し、その湾曲部を伸縮して調整する雪上滑走用具用湾曲調整具及び該湾曲調整具が付設された雪上滑走用具に関し、特に雪上滑走用具のキャンバーの大きさを調整する雪上滑走用具用湾曲調整具及びこの湾曲調整具が付設された雪上滑走用具に関する。なお、本明細書で「雪上滑走用具」とは、スノーボード、スキー、そり等の雪の上を滑るための道具を言う。
【０００２】
なお、本発明に係る雪上滑走用具用湾曲調整具は、あくまでも、少なくとも雪上滑走用具の使用中（滑走中）に雪上滑走用具に固定して取り付けて利用する湾曲調整具であって、雪上滑走用具の製造過程において湾曲部の調整目的で使用する工具とは全く異なる。
【０００３】
【従来の技術】
図８（ａ）は、雪上滑走用具の概略を説明する図である。この雪上滑走用具４０は、全体的には、その長手方向の先端のノーズ部４１と、後端のテール部４２と、ノーズ部４１とテール部４２との間の中央部４３とから構成されている。
【０００４】
雪上滑走用具４０の中央部４３には上方にアーチ状に湾曲した部分（中央の湾曲部）４４が形成されたおり、この中央の湾曲部４４の前部からノーズにかけて下方に湾曲した前方湾曲部４５が形成されており、さらに中央の湾曲部４４の後部からテール部４２にかけて下方に湾曲した後方湾曲部４６が形成されている。
【０００５】
雪上滑走用具４０に付与されたこれらの湾曲部のうち、中央の湾曲部４４は、通常、キャンバー部と呼ばれており、このようなキャンバー部４４が形成された雪上滑走用具は従来公知である（例えば、特許文献１及び特許文献２参照。）。
【０００６】
【特許文献１】
特表２００１−５１３４１１号公報（図１、２参照）
【特許文献２】
特開２００２−２１００６７号公報（図７参照）
【０００７】
【発明が解決しようとする課題】
雪上滑走用具４０を新雪ではないある程度固められた雪面Ｓ（圧雪面という。）に置くと、このキャンバー部４４の頂部ｐ（中央の湾曲部の頂部）は雪面Ｓから上方に離れている。そして、キャンバー部４４の前後において、前方湾曲部４５の最下点と後方湾曲部４６の最下点は雪面Ｓと当接している。この前方湾曲部４５の頂部及び後方湾曲部４６の頂部は、前方及び後方で雪面Ｓに当接しているので、前方接雪部４７及び後方接雪部４８という。
【０００８】
このキャンバー部４４の機能を雪上滑走用具４０の一例としてスノーボードで説明すると、次の通りである。即ち、使用者がスノーボード４０（雪上滑走用具）で雪面Ｓを滑走中は、使用者の体重がキャンバー部４４にかかっているので、キャンバー部４４の前後の接雪部４７、４８は、雪面に押圧力が作用し、この部分のエッジは雪面Ｓをとらえている。
【０００９】
今、滑走中に回転（ターン）等する際に、使用者が沈み込んだり伸び上がったりしてその体重をスノーボード４０に加えると、アーチ状のキャンバー部４４の上方への付勢力に抗してより大きな荷重が下方に加わるので、キャンバー部４４は下方に撓み、ノーズ部４７、キャンバー部４４及びテール部４８におけるスノーボード４０のエッジ全体で雪面Ｓをとらえることができ、回転動作を安定且つスムースに行うことができる。
【００１０】
このように、使用者が積極的に付勢力に抗して荷重を下方に加えると、前後の接雪部４７、４８は、雪面に、より強い押圧力が作用し、この部分のエッジは雪面Ｓに十分に切り込み、鋭い回転動作を安定且つスムースに行うことができる。
【００１１】
ところで、キャンバー部４４は、その上方へのアーチ状の湾曲部の曲率が大きい（湾曲の度合いが大きい）ほど雪面Ｓからキャンバー部４４の頂部ｐまでの間隔ｈが大きくなり、上方への付勢力（使用者が下方へ荷重をかけた際の反発力を生じる。）が大きい。
【００１２】
本明細書では、雪面Ｓからキャンバー部４４の頂部ｐ迄の間隔をキャンバーといい、その「間隔の大きさ（長さ）」を「キャンバーの大きさ」（図中ではｈ等で指示）と言い、雪面Ｓに対して上方に向かう方向を正方向と言い、下方に向かう方向を負方向という。そして、キャンバー部４４が雪面から上方に向いている場合（図８（ａ）、（ｂ）参照。）のキャンバーの大きさｈを正方向の大きさとし、アーチ状のキャンバー部が雪面から下方に向いている場合（雪面から雪内に潜り込む方向。図８（ｄ）参照。）のキャンバーの大きさｈを負方向の大きさとする。
【００１３】
正方向のキャンバーを有するスノーボード４０は、上述のとおり使用者が回転等の際に下方に荷重をかけることで雪面Ｓをエッジで捉えることができ、安定した回転動作をするのに適している。
【００１４】
逆に、図８（ｄ）に示すように、負方向のキャンバーを有するスノーボード４９は、深雪の雪面Ｓの場合に、ノーズ部４１からテール部４２にかけて全体的に下方にアーチ状となるので、滑走の際に前方の湾曲部５０により、スノーボード４０に対して上方への浮力が生じる。よって、雪中への潜り込みがかなり低減されるので、深雪の雪面Ｓの滑走の場合には、適している。
【００１５】
市販されているスノーボード４０は、使用者の好みやレベル（スノーボードの習熟度）に応じて、キャンバーの大きさの異なるいくつかの種類が取り揃えられている。
【００１６】
キャンバーが正方向に大きなスノーボード４０では、上方への付勢力が強いので、使用者が回転等する際に、この大きな付勢力に抗して十分な荷重を下方にかけないとキャンバー部４４のエッジが雪面Ｓに食い込まない。しかし、十分な荷重をかけてエッジを雪面Ｓに食い込ますことができた場合には、ノーズ部４１からテール部４２にかけてのエッジ全体で雪面Ｓを十分とらえることができ、特に前方接雪部４７及び後方接雪部４８での雪面Ｓに対する押圧力が大きくなり、雪面Ｓに十分切り込むことができるので、シャープで安定した回転が可能である。
【００１７】
このように、キャンバーが正方向に大きい程、十分な荷重をかけて上手に使いこなしさえすれば、雪面Ｓをより十分捉えることができ、正確に回転動作ができる。しかしながら、使用者が滑走の際に安定な姿勢を維持しながら下方に十分な荷重をかけることはかなりの習熟を要する。よって、キャンバーが正方向に大きい程、スノーボード４０の滑走技術をより習熟している上級者でなければ操作することが難しい。
【００１８】
初心者は、正方向に大きなキャンバーが付与されている場合は、滑走中前後の接雪部で雪面Ｓに対して大きな押圧力を付与するので、接雪部で雪面Ｓにエッジを取られやすい。特に、深雪や圧雪面Ｓでもギャップ（凹凸のある雪面Ｓ）のある場合等は、通常の滑走中でも、又特に回転の際等に、キャンバーの前方接雪部４７及び後方接雪部４８でエッジを取られ雪面Ｓに食い込んで引っかり、スムースな滑走や回転が困難となる。
【００１９】
よって、初心者の場合は、図８（ｂ）に示すような正方向に僅かな大きさのキャンバー付与されているスノーボード５１、又は図８（ｃ）に示すようなキャンバーがゼロのスノーボード５２を使用することが望ましい。
【００２０】
最近、初心者によるスノーボード滑走中の事故が多発しているが、特に、緩斜面における初心者の回転の際の逆エッジの引っかかりによる谷側方向への転倒死亡事故（通常「逆エッジ転倒事故」と呼ばれている。）が問題とされている。
【００２１】
これは、キャンバーが正方向に付与されたスノーボード４０で回転する場合に、上級者は、回転の際に腰を沈み込みながらじっくり体重移動をしながら荷重を下方にかけてキャンバー部４４を雪面Ｓに押しつけながら、雪面Ｓへ切り込むエッジを山側エッジから谷側エッジにスムースに切り換えることができ、回転動作が可能である。
【００２２】
しかしながら、初心者はスピードを出せず回転の際にスノーボードをずらして方向を変える為、正方向に大きなキャンバーが付与されている場合は、回転の際に、キャンバー部４４の前方接雪部４７及び後方接雪部４８が雪面Ｓに食い込んで引っかかったり、又バランスをとりながらキャンバーに上方からスムースに体重移動しながら下方に荷重をかけることは難しく、谷側に身を向け谷側を見た際に谷側が下方に拡がって視野に入ることから恐怖感が生じやすい。この恐怖感から、スノーボード４０を一気に無理矢理に谷側に向けようとするので、谷側エッジが雪面Ｓにさらひっかかりそのまま谷側に転倒してしまい、後頭部を雪面Ｓや岩に当ててしまう。
【００２３】
以上からして、使用者の上達、習熟の程度に応じて、又滑走するゲレンデ等の雪面Ｓの状態に応じて、キャンバーの大きさの異なるスノーボードを使い分ければよい。しかしながら、スノーボードは必ずしも安いものではなく、又使用者が複数のスノーボードを取り揃えても複数持ち歩けるものでもない。
【００２４】
ところで、スノーボードの購入時には、キャンバーは所定の大きさに形成され且つ相当の付勢力が付与されているが、スノーボードを使い込んでいくうちに、そして経年変化で、徐々に付勢力が弱まり、キャンバーの大きさも小さくなるという問題が生じる。
【００２５】
以上、雪上滑走用具の一例としてスノーボードで説明したが、スキーやそりについても同様の問題があり、本発明は、このような従来の問題を解決することを目的とするものであり、雪上滑走用具のキャンバー部を含む前記各湾曲部を個々に伸縮してその湾曲調整を可能とする画期的な手段を実現することを課題とするものである。
【００２６】
特に、雪上滑走用具の使用者の上達、習熟の程度、滑走するゲレンデ等の雪面Ｓの状況（圧雪面、アイスバーン、深雪面等の降雪や凍結状況等）、通常のゲレンデ、ハーフパイプ、ワンメイク等滑走環境等に応じて、キャンバーの方向（正負）及び大きさを自由にきめ細かく、必要に応じて一度で大きく変えて調整することのできる湾曲調整具（特にキャンバーを調整する場合は「キャンバー調整具」とも言う。）であって、雪上滑走用具に付設して（取り付けて）使用する湾曲調整具、及びこの湾曲調整具が付設された雪上滑走用具を実現することを課題とするものである。
【００２７】
さらに、雪上滑走用具の前後端から伸縮力を雪上滑走用具の長手方向全体に付与することでキャンバー部を含む３つの湾曲部を一括して湾曲調整する手段及びこの手段の付設された雪上滑走用具を実現するものである。
【００２８】
【課題を解決するための手段】
本発明は上記課題を解決するために、前後一対のブラケットと、該前後一対のブラケットの間に設けられた伸縮具とを具備し、スノーボードのデッキ上に取り付けられるスノーボード用湾曲調整具であって、前記前後一対のブラケットは、前記スノーボードのデッキ上に前後方向に間隔を置いて取り付けられるものであり、前記伸縮具は、前記前後一対のブラケットの間隔を伸縮自在に調整するものであり、前記伸縮具により前記前後一対のブラケットの間隔を調整することにより、前記スノーボードに形成された湾曲部の曲率を調整可能とするものであることを特徴とするスノーボード用湾曲調整具を提供する。
【００２９】
本発明は上記課題を解決するために、前後一対のブラケットと、該前後一対のブラケットの間に設けられた伸縮具とを具備しスノーボードのデッキ上に取り付けられるスノーボード用湾曲調整具であって、前記前後一対のブラケットは、夫々前記スノーボードのキャンバー部の前後に前後方向に間隔を置いて取り付けられるものであり、前記伸縮具は、前記前後一対のブラケットの間隔を伸縮自在に調整するものであり、前記伸縮具により前記前後一対のブラケットの間隔を調整することにより、前記スノーボードのキャンバー部の湾曲の曲率を調整可能とするものであることを特徴とするスノーボード用湾曲調整具を提供する。
【００３０】
前記伸縮具は、前方ネジ付きロッドと後方ネジ付きロッドと、回転操作筒とを有し、前記前方ネジ付きロッドは、その前端が前記一対のブラケットの前方のブラケットに枢着され、その後端が前記回転操作筒に螺着されており、前記後方ネジ付きロッドは、その後端が前記一対のブラケットの後方のブラケットに枢着され、その前端が前記回転操作筒に螺着されており、前記回転操作筒をその軸心を中心に、一方向に回転すると前方ネジ付きロッドと後方ネジ付きロッドを互いに近づかせ、該一方向の反対方向に回転すると前方ネジ付きロッドと後方ネジ付きロッドを互いに離れさせる構成であることが好ましい。
【００３１】
前記伸縮具は、バネを有する又はバネを介して前記ブラケットに取り付けられていることが好ましい。
【００３２】
本発明は上記課題を解決するために、前後一対のブラケットと、該前後一対のブラケットの間に設けられた伸縮具とを具備し、雪上滑走用具のデッキ上に取り付けられる雪上滑走用具用湾曲調整具であって、前記前後一対のブラケットは、前記雪上滑走用具のデッキ上に前後方向に間隔を置いて取り付けられるものであり、前記伸縮具は、前記前後一対のブラケットの間隔を小さくする又は大きくするように付勢する引っ張りバネ又は圧縮バネを有し、前記伸縮具により前記前後一対のブラケットの間隔を小さくする又は大きくすることにより、前記雪上滑走用具に形成された湾曲部の曲率を調整可能とするものであることを特徴とする雪上滑走用具用湾曲調整具を提供する。
【００３３】
前記前後一対のブラケットは、夫々前後のビンディングとは別体のものとしてもよいし又はビンディングの一部のものとしてもよい。
【００３４】
本発明は上記課題を解決するために、上記特徴を有するスノーボード用湾曲調整具が付設されたスノーボードを提供する。
【００３５】
【発明の実施の形態】
本発明に係る雪上滑走用具に付設する湾曲調整具及び該湾曲調整具の付設された雪上滑走用具の実施の形態を実施例に基づいて図面を参照し、以下に説明する。以下の実施例では、雪上滑走用具の具体例としてスノーボードで説明するが、スキー、そりにも同様に適用できることは言うまでもない。
【００３６】
（実施例１）
図１は、本発明に係る湾曲調整具の実施例１を説明する図である。図１（ａ）は、本発明に係る湾曲調整具を示す図である。この湾曲調整具１は、前後一対（前後方向は、図中で左右方向として示す。）のブラケット（支持片）２、２と、この前後一対のブラケット２、２の間隔を伸縮自在に調整する伸縮具３とから構成される。前記前後一対のブラケットは、夫々前後のビンディングとは別体のものである構成としてもよいが、後述する図２（ｄ）に示すように、ビンディングの一部のものである構成、ビンディングがブラケットも兼ねる構成としてもよい。
【００３７】
前後一対のブラケット２、２は、金属材や剛性（強化）プラスチック材等から製造され、図１（ａ）〜（ｃ）に示すように、底部４と起立部５とから断面Ｌ型の構造をしている。ブラケット２の底部４と起立部５との角部（通常９０度の角部）の幅方向の左右の部分に、補強リブ２’がブラケット２の本体と一体的に形成されている。この補強リブ２’は、起立部５に前後方向（図中左右方向）の外力が左右しても底部４に対して曲がって変形しないように補強する機能を有するものである。なお、この角部におけるブラケット２の左右の幅方向全体にわたって補強リブを一体的に形成してもよい。
【００３８】
前後一対のブラケット２、２の起立部５の互いの対向面には、夫々左右一対の耳部６が、ブラケット２の本体に一体に形成されている又は別体であるが溶着等で固着して形成されている。この左右一対の耳部６には、夫々枢軸孔７が形成されている。
【００３９】
ブラケット２の底部４は、ネジ挿通孔８が形成されており、後述する図２（ａ）に示すように、スノーボード９のデッキ１０とビンディング１１のベースプレート１２との間に配置され、ベースプレート１２の取付ネジ（図示せず）により、ベースプレート１２とともにスノーボード９のデッキ１０の面に固定することができる。
【００４０】
伸縮具３は、前後一対のネジ付きロッド１３、１４と回転操作筒１５とから成る。前側ネジ付きロッド１３の後端側にはネジ１６が形成されており、その前端は扁平部１７が形成されている。この扁平部１７には、枢軸孔が形成されている。同様に、後側ネジ付きロッド１４の前端側にはねじ１６’が形成されており、その後端は扁平部（図示は省略するが、図１（ｂ）の前側ネジ付きロッド１３の扁平部１７と同じ構造である。）が形成されている。この扁平部１７には、枢軸孔が形成されている。
【００４１】
伸縮具３の前側ネジ付きロッド１３及び後側ネジ付きロッド１４は、夫々その扁平部１７が、前後一対のブラケット２、２の夫々の左右の耳部６内に挿入され枢軸１８により枢着されている。この構成により、前後の一対のネジ付きロッド１３、１４は垂直面内でのみブラケット２に対して傾動することができる。
【００４２】
なお、現実の問題としては、滑走中にはスノーボード本体（板自体）は捻れ方向等、あらゆる方向への変形が生じ、その変形による力が耳部６や枢軸１８にかかって破損等生じる可能性があるので、前後一対のネジ付きロッド１３、１４とブラケット２の取付部は、このように枢軸１８による枢着構造とすることなく、ボールジョイント１９を利用し、上記のあらゆる方向への力がかかっても逃げられるようにする構造とする方が好ましい。
【００４３】
即ち、図１（ｄ）に示すように、前後一対のブラケット２、２の互いに対向する面に、ソケット２０を一体で又は別体で固定して設け、一方、前後一対のネジ付きロッド１３、１４のブラケット取付端に球体２１を形成し、この球体２１をソケット２０内に回転可能に装入する構成とすることが好ましい。なお、この場合は、伸縮具３の長さの調整のために回転操作筒１５を回転する際には、ネジ付きロッド１６、１６’を把持すると、回転操作筒１５とネジ付きロッド１６、１６’との供回り（凍結時等生じやすい。）が防止できる。
【００４４】
回転操作筒１５の筒内面の前側には前側ネジ付きロッド１３のネジ１６と螺合するネジ２２が形成されており、ここに前側ネジ付きロッド１３のネジ１６が螺着されている。回転操作筒１５の筒内面の後側には後側ネジ付きロッド１４のネジ１６’と螺合するネジ２２’が形成されており、ここに後側ネジ付きロッド１４のネジ２２’が螺着されている。
【００４５】
前側ネジ付きロッド１３のネジ１６及び回転操作筒１５の前側のネジ２２と、後側ネジ付きロッド１４のネジ１６’及び回転操作筒１５の後側のネジ２２’とは、互いに逆方向に形成されており、回転操作筒１５を一方向に回転すると、前後一対のネジ付きロッド１３、１４が互いに近づき、回転操作筒１５を反対方向に回転すると、前後一対のネジ付きロッド１３、１４が互いに離れるように構成されている。
【００４６】
図２は、上記構成の湾曲調整具１が付設されて成る本発明に係るスノーボード９である。湾曲調整具１は、図２（ａ）、（ｂ）にその側面を、図２（ｃ）にその平面を示すように、前後一対のブラケット２、２がその起立部５が互いに向き合うように、キャンバー部２３の前後において、夫々前後のビンディング１１のベースプレート１２とスノーボード９のデッキ１０との間に配置される。
【００４７】
このように配置された前後一対のブラケット２、２は、ベースプレート１２の取付ネジにより、ベースプレート１２とともにスノーボード９のデッキ１０に固定されて取り付けられる。これにより、本発明に係るスノーボード９が形成される。
【００４８】
このように湾曲調整具１をスノーボード９に取り付けた構造において、回転操作筒１５を一方向又はその反対方向に回転操作することにより、スノーボード９のキャンバー部２３に縮み方向への力（緊張力）を付与するか又は伸び方向への力（拡張力）を付与することができる。
【００４９】
以上の例は、前記前後一対のブラケット２、２は、夫々前後のビンディング１１とは別体のものである構成としたが、ビンディング１１がブラケットも兼ねる構成としてもよい。例えば、図２（ｄ）に示すように、ビンディング１１の一部である、ビンディング１１のベースプレート１２に伸縮具３を直に取り付けられるような構成としてもよい。又、ベースプレート１２ではなく、ビンディング１１の靴取付部に伸縮具３を直に取り付けられるような構成であってもよい。
【００５０】
（作用）
上記構成から成る実施例１の作用を説明する。図２（ｂ）は、湾曲調整具１により何らスノーボード９に対して緊張力又は拡張力を加えることなく、スノーボード９に付与されているキャンバーの大きさｈ（本明細書では、「キャンバー部２３の頂部２３’と雪面Ｓとの間隔の大きさ」を言うものとする。）を予めスノーボード９に付与されているキャンバーの大きさｈ０の状態（外力の付与されていない自然状態）にある（ｈ＝ｈ０）スノーボード９を示す。
【００５１】
今、使用者が、キャンバーの大きさｈを想像線（二点鎖線）に示す予め付与された大きさｈ０の状態から、正方向（上の方向）に湾曲の曲率を大きくする場合（ｈ＝ｈ１）には、図３（ａ）に示すように、回転操作筒１５を一方向に回転すると、前後一対のネジ付きロッド１３、１４が互いに遠ざかる方向に直線移動する。
【００５２】
すると、前後の一対のＬ型のブラケット２の上端が互いに遠ざかる方向にブラケット２全体が回転しようとする（前側のブラケット２は矢印のように反時計針回り方向に、後側のブラケット２は矢印のように時計針回り方向に回転しようとする。）ので、前後の一対のブラケット２を介して、上方へアーチ状に形成されたキャンバー部２３は、その湾曲の曲率がさらに大きくなり、キャンバーの大きさｈが正方向に大きくなる。
【００５３】
このようにキャンバーの大きさｈが正方向に大きくなると、使用者、特に上級者が滑走中に回転をする際に、沈み込んでキャンバー部２３に十分に荷重（体重）をかけキャンバー部２３の頂部２３’を雪面Ｓに当接させ、しかも山側エッジから谷側エッジに切り換えを行うと、スノーボード９のノーズ部２５からテール部２６にかけて谷側エッジが雪面Ｓを捉え、特に前後の接雪部２７、２８が雪面Ｓに十分な押圧力を及ぼして雪面Ｓにしっかりと食い込む。
【００５４】
これにより、エッジはノーズ部２５からテール部２６にかけて雪面Ｓをしっかりと切り込んでとらえることができ、きわめてシャープ且つ安定した回転動作が可能となる。特に、低温の気象条件や夜間滑走時に雪面Ｓがアイスバーン（表面が凍結している雪面）状態であっても、横滑り等の余計な滑りが生じることなく、切れ味のよい滑走や回転動作が可能となる。
【００５５】
一方、初心者はスピードを出せずに回転の際にスノーボードをずらして方向を変えるために、図２（ｂ）や図３（ａ）の想像線で示すように予め付与されたキャンバーの大きさである場合（ｈ＝ｈ０）は、初心者のとっては、前後の接雪部２７、２８の押圧力が強すぎるためにエッジが雪面Ｓに引っ掛かってしまい転倒する危険が生じる。
【００５６】
そこで、初心者の場合は、上級者とは逆に、図３（ｂ）、（ｃ）に示すように、回転操作筒１５を上記一方向とは反対方向に回転することにより、前後一対のネジ付きロッド１３、１４が互いに近づく方向に直線移動させる。すると、前後一対のブラケット２、２の上端は互いに近づき、前後一対のブラケット２、２全体としては矢印のように回転し、上方へアーチ状に形成されたキャンバー部２３の曲率が小さくなり、キャンバーの大きさｈが小さくなる（ｈ＝ｈ２）。必要に応じて、さらにキャンバーの大きさｈを図３（ｃ）に示すようにゼロとして（ｈ＝０）もよい。
【００５７】
このように、キャンバーの大きさｈが小さく又は０とすると、初心者が滑走中に使用者が荷重を少しかけるか又は特に意識してかけなくても、キャンバー部２３が雪面Ｓにほぼ当接しており、スノーボード９のノーズ部２５からテール部２６にかけて雪面Ｓにほぼ接触しているので、低速での回転動作を容易に行うことができ、特に前後の接雪部２７、２８で強い押圧力が雪面Ｓに作用してないので、谷側エッジの雪面Ｓへの引っかかりが生じにくく、谷側への逆エッジによる転倒事故等の危険が少なくなる。
【００５８】
但し、雪面Ｓへの接雪部２７から接雪部２８までのエッジの押圧力は弱まるので、十分雪面Ｓを捉えることが出来ず、低速でスノーボードのずれ巾の大きい回転をする場合には適しているが、エッジを深く雪面Ｓに切り込んで高速で鋭い回転をする場合には適していない。又、アイスバーン等では回転時に横滑り等が生じやすい。なお、このようにキャンバーの大きさｈを小さくすると、上級者にとっても深雪の雪面Ｓの場合には、スノーボード９の底面全面で雪を受けるので深雪内にスノーボード９が潜りにくく、深雪には適している。
【００５９】
図３（ｃ）に示すようにキャンバーの大きさｈがゼロとなってから、さらにキャンバー部２３の中央に下方に力を加えて、湾曲部（アーチ）を下方に向けて反転してから一方向に回転操作筒１５を回転すると、図３（ｄ）に示すように、前後一対のネジ付きロッド１３、１４が互いに近づく方向に引き寄せられるように直線移動し、前後一対のブラケット２、２の上端が互いに近づき前後一対のブラケット２、２全体としては矢印のように回転しようとするので、ブラケット２、２を介してキャンバー部２３の湾曲部が下方に向き、キャンバーの大きさｈが負方向になる（ｈ＝ｈ３）。
【００６０】
このように負のキャンバーが付与されたスノーボード９は、通常の圧雪された雪面Ｓではずれやすくなるが、深雪では、滑走すると浮力が生じ深雪内への潜り込みが少なくなる。よって、深雪状態のゲレンデ等の滑走では適している。
【００６１】
（実施例２）
図４（ａ）〜（ｃ）は、本発明の実施例２を説明する図である。このスノーボード用湾曲調整具の構成自体は、実施例１とほぼ同じであるからその詳細な説明は省略する。この実施例２の特徴は、湾曲調整具の前後一対のブラケット２、２をノーズ部２５とテール部２６のデッキ１０の面に取り付けた湾曲調整具１の付設されたスノーボード９の構成にある。
【００６２】
この実施例２では、ビンディングを、前後一対のネジ付きロッド１３、１４がで邪魔しないようにすることが必要である。そこで、図４（ａ）に示すとおり、ビンディングの点線で示す取付位置１１’を避けるように前後一対のネジ付きロッド１３、１４の端部をがクランク状に曲げて、前後一対のブラケット２、２及び回転操作筒１５をスノーボードの幅方向左右のいずれかに寄らせて取り付ける構成とする。
【００６３】
このように湾曲調整具１を付設したスノーボード９では、スノーボード９の前後端から伸縮力をスノーボード９の長手方向全体に付与するので、キャンバー部２３、前方湾曲部２９及び後方湾曲部３０に一括して伸縮力を付与することができる。
【００６４】
図４（ｂ）に示すように、湾曲調整具１の回転操作筒１５を一方向に回転して一対のブラケット２を互いに離れる方向に調整すると、前後の一対のＬ型のブラケット２の上端は互いに遠ざかるようにブラケット２全体が回転しようとする（前側のブラケット２は矢印のように反時計針回り方向に、後側のブラケット２は矢印のように時計針回り方向に回転しようとする。）ので、前後の一対のブラケット２を介して、スノーボード９全体を上方に湾曲する力を付与する。これにより、キャンバー部２３の曲率を大きくして湾曲の度合いを強めるので、前述の説明とおり上級者向きに適しているスノーボードに調整することができる。
【００６５】
なお、スノーボード９の非使用時にも上記緊張力を維持しておくと、この緊張力を緩めた場合でもある程度の付勢力維持され、経年的に付勢力が消失するようなことが防止できる。
【００６６】
逆に、図４（ｃ）に示すように、湾曲調整具１の回転操作筒１５を上記一方向とは反対方向に回転して一対のブラケットを互いに近づける方向に調整すると、上記とは逆にキャンバー部２３の湾曲の曲率を小さくして湾曲度合いを小さくするので、前述の説明とおり初心者又は新雪向きに適しているスノーボード９に調整することができる。
【００６７】
（実施例３）
図４（ｄ）、（ｅ）は、本発明の実施例３を説明する図である。このスノーボード用湾曲調整具の構成自体は、実施例１と同じであるからその詳細な説明は省略する。この実施例３の特徴は、湾曲調整具の前後一対のブラケット２、２をノーズ部２５とキャンバー部２３の前部のデッキ１０の面に取り付け、前方湾曲部２９に伸縮力を付与し前方湾曲部２９の湾曲の曲率を調整できるようにしたスノーボード９の構成にある。
【００６８】
湾曲調整具の回転操作筒１５を一方向に回転して前後一対のブラケット２、２を互いに近づける方向に調整し、スノーボード全体に縮む方向に緊張力を付与すると、図７（ｄ）に示すように、前方湾曲部２９の曲率を大きくして湾曲の度合いを強める。
【００６９】
逆に、図４（ｅ）に示すように、湾曲調整具の回転操作筒１５を上記一方向とは反対方向に回転して前後一対のブラケット２、２を互いに離れる方向に調整し、前方湾曲部２９に拡張力を付与すると、前方湾曲部２９の曲率を小さくして湾曲度合いを緩めその付勢力が弱まる。すると、ノーズ部２５の受ける抵抗は少なくなるのでスピードはアップする。
【００７０】
以上、実施例３では前方湾曲部２９の調整について述べたが、後方湾曲部３０についてもこのような湾曲調整具１を取り付ければ、夫々独立して前後における湾曲部の付勢力の調整ができ、使用者の好み、習熟度に適した状態に調整できる。
【００７１】
（実施例４）
図５（ａ）は、本発明の実施例４を説明する図である。この実施例４の構成は実施例１とほぼ同じであるので、実施例１と異なる特徴的な構成を中心に説明する。この実施例４は、図５（ａ）に示すように、前方ネジ付きロッド１３に引っ張りバネを設けた構成を特徴とする。図示はしないが、後方ネジ付きロッド１４に設けてもよいし、前後のネジ付きロッド１３、１４の両方に設けてもよい。いずれにしろ、伸縮具３とブラケット２との間に設けてもよい。
【００７２】
この実施例４では、具体的には、前方ネジ付きロッド１３を前部１３ａと後部１３ｂに分けて構成し、前部１３ａと後部１３ｂとの間に、常時矢印方向の付勢力を有する引っ張りバネ３１を取り付けた構造を特徴としている。この引っ張りバネ３１は、回転操作筒１５により、前後一対のブラケット２、２が互いに離れる方向に移動して調整される際には伸びることなく、後述するように急激な力が加わった時に伸びるようなバネ定数を有する引っ張りバネを利用する。
【００７３】
実施例４の作用を、実施例１と比較して以下に説明する。実施例１において、スノーボード９で滑走中、雪面から盛り上がった突出部（通常、「ギャップ」とか「こぶ」等と呼ばれている。）上にキャンバー部２３のソール（スノーボードの下面）が乗り上げると、キャンバー部２３は、瞬間的に正方向に大きな曲率で湾曲する。
【００７４】
すると、前後のブラケットは互いに瞬間的に離れるので、前後一対のネジ付きロッド１３、１４のブラケット２への取付手段である耳部６及び枢軸１８さらにはブラケット１３、１４に対して、スノーボード９の前後方向の中心部に向かう急激な力が加わり、破損を生じるおそれがある。
【００７５】
そこで、実施例４では、上述のとおりの引っ張りバネ３１を設けることにより、耳部６及び枢軸１８に加わる急激な力を引っ張りバネ３１で緩衝して吸収し、耳部６及び枢軸１８さらにはブラケット２における破損を防止することができる。なお、引っ張りバネ３１は、滑走中にスノーボード９で発生する捻れ等により耳部６及び枢軸１８に加わる力も吸収することができる。
【００７６】
（実施例５）
図５（ｂ）は、本発明の実施例５を説明する図である。この実施例５は、実施例４とほぼ同じ構成であるが、引っ張りバネ３１の替わりに、常時矢印方向に付勢力を有する圧縮バネ３１’を設けた点を特徴とする。この圧縮バネ３１’は、回転操作筒１５により、前後一対のブラケット２、２が互いに離れる方向に移動して調整される際には縮むことなく、後述するように急激な力が加わった場合に縮むようなバネ定数を有する圧縮バネを利用する。
【００７７】
実施例５の作用を、実施例１と比較して以下に説明する。実施例１において、滑走中、キャンバー部２３が雪面Ｓの窪みに位置して、スノーボード９全体が負方向（下方）に瞬間的に湾曲すると、前後一対のブラケット２、２が互いに近づくいて、耳部６及び枢軸１８、さらにはブラケット２、２に対して、スノーボード９の中心から前後方向に向かう急激な力が加わり、破損を生じるおそれがある。
【００７８】
そこで、実施例５では、上述のとおりの圧縮バネ３１’を設けることにより、耳部６及び枢軸１８に加わる急激な力を圧縮バネ３１’で緩衝して吸収し、耳部６及び枢軸１８さらにはブラケット２における破損を防止することができる。なお、圧縮バネ３１’は、滑走中にスノーボード９で発生する捻れ等により耳部６及び枢軸１８に加わる力も吸収することができる。
【００７９】
（実施例６）
図６（ａ）は、本発明の実施例６を説明する図である。この実施例６は実施例１と共通する構成が多いが、実施例１と異なる特徴的な構成を中心に説明する。この実施例６は、図６（ａ）に示すように、実施例１の回転操作筒１５を設けることなく、その替わりに、引っ張りバネ３２を前後一対のロッド３３、３４を介して設けた構成を特徴とする。この引っ張りバネ３２は、前後一対のブラケット２、２を、図６（ａ）に示すように、スノーボード９の前後方向の中心に常時引っ張るような作用する。
【００８０】
このような引っ張りバネ３２を設けることは、実施例１における回転操作筒１５で前後一対のブラケット２、２を互いに近づけさせることと同じであり、これによりキャンバー部２３に予め付与された正方向の湾曲の曲率を小さくし、キャンバーの大きさｈを小さくするものである。この結果、上述の通りの初心者でも操作し易いスノーボードに調整することができる。
【００８１】
（実施例７）
図６（ｂ）は、本発明の実施例７を説明する図である。この実施例７の構成は実施例６とほぼ同じであるが、実施例６における引っ張りバネ３２の替わりに、圧縮バネ３２’を前後一対のロッド３３、３４を介して設けた構成を特徴とする。この圧縮バネ３２’は、前後一対のブラケット２、２を、図６（ｂ）に示すように、スノーボード９の中心から前後に夫々圧縮するように作用する。
【００８２】
このような圧縮バネ３２’を設けることは、実施例１における回転操作筒１５で前後一対のブラケット２、２を離れる方向にすることと同じであり、この結果、キャンバー部２３の予め正方向に付与された湾曲の曲率を大きくし、キャンバーの大きさｈを大きくするものである。この結果、上述の通りの上級者好みのスノーボードに調整することができる。
【００８３】
（実施例８）
図７は本発明の実施例８を説明する図である。この実施例８では、前後一対のブラケットとして、図７（ａ）、（ｂ）に示すように、中央に補強垂直壁３５’を有する略山形のブラケット３５、３５を用いている。前方のブラケット３５の頂部３６に操作ハンドル３７が枢着されており、この操作ハンドル３７の後面に取付部３８が突設されている。この取付部３８に湾曲アーム３９の一端部が枢着されており、この湾曲アーム３９の他端部には、前方ネジ付きロッド１３の前端が枢着されている。
【００８４】
後方ネジ付きロッド１４は、図７（ａ）に示すように後方のブラケット３５の頂部３６に枢着されている。なお、実施例８の変形例として、図８（ｃ）に示すように、山形のブラケット３５の頂部３６に前方ネジ付きロッド１３の後端のネジ部１６を直接螺着し、つまみ１３’で回転操作できる構成としてもよい。この変形例の場合は、回転操作筒１５及び後方ネジ付きロッド１４を設ける必要がなく、つまみ１３’の回転操作により、前方ネジ付きロッド１３を、後方の山形ブラケット３５に対してその長さを進退自在にすることができる。
【００８５】
以上の構成から成る実施例８の作用を説明する。図８（ｄ）、（ｅ）は、図７（ａ）、（ｂ）のうち、ハンドル３７、湾曲アーム３９及び前方ネジ付きロッド１３の関係位置のみを示す図である。
【００８６】
今、操作ハンドル３７を、図７（ｄ）の位置から後方に回転操作して、図７（ｅ）の位置にする。この回転操作により、前方ネジ付きロッド１３は、前方に（矢印方向）に大幅に引かれ、後方のブラケット３５を前方に引き寄せるようにする。要するに、前後一対のブラケット３５、３５の互いの間隔を一挙小さくするようにするので、図３で説明したと同じ原理に基づき、予め正方向（上方）に付与されたキャンバー部の湾曲の曲率が小さくなり、キャンバーの大きさが小さくなる。さらに、湾曲の曲率の微調整は回転操作筒１５で行えば良い。
【００８７】
実施例１では、回転操作筒１５の回転操作では前後の一対のネジ付きロッド１３、１４を少しづつ移動して、ブラケット２、２の間隔を少しづつ調整してキャンバーの大きさｈも少しづつ調整可能であるが、キャンバーの大きさｈを大幅には調整できない。これに対して、実施例８では、ハンドル３７の回転操作により、キャンバーの大きさを一挙に大きく調整でき、しかも回転操作筒１５を併用することにより、さらに微調整も可能である。
【００８８】
以上、本発明に係る雪上滑走用具の湾曲部の伸縮調整具実施形態を実施例に基づいて説明したが、本発明は特にこのような実施例に限定されることなく、特許請求の範囲記載の技術的事項の範囲内でいろいろな実施例があることはいうまでもない。
【００８９】
【発明の効果】
本発明は以上の構成であるので、次のような効果が生じる。
（１）本発明は、雪上滑走用具のキャンバー部を含む各湾曲部を個々に又は一括に伸縮して、夫々の湾曲部の曲率を、滑走ゲレンデ等の現地で簡単に調整可能とすることができ、これにより、雪上滑走用具の使用者の上達、事故の軽減、習熟の程度、滑走するゲレンデ等の雪面の状況や降雪状況の変化等に応じたより適した状態にすることができる。湾曲部の曲率の調整は、回転操作筒と、ハンドルで操作可能な湾曲アームを利用することにより、すこしづつ調整可能であり、又大幅に調整も可能である。
【００９０】
（２）雪上滑走用具の湾曲部は、湾曲調整具で調整可能であるとともに、湾曲調整具にバネを設けるかバネを介してスノーボードに取り付けることにより、雪面のギャップや窪みによりスノーボードに生じる急激な力で、湾曲調整具のスノーボードへの取付部を破損しないようにすることができきる。又、湾曲調整具として、バネだけを用いるという簡単な構造でもキャンバー部の湾曲の度合いを簡単に変更できる。
【００９１】
（３）キャンバー部を負方向の湾曲とすることにより、深雪の際に浮力を発生させ、潜り込みを抑えることができる。
【図面の簡単な説明】
【図１】本発明の実施例１を説明する図である。
【図２】本発明の実施例１を説明する図である。
【図３】本発明の実施例１の作用を説明する図である。
【図４】（ａ）〜（ｃ）は本発明の実施例２を説明する図であり、（ｄ）、（ｅ）は本発明の実施例３を説明する図である。
【図５】本発明の実施例４及び実施例５を説明する図である。
【図６】本発明の実施例６及び実施例７を説明する図である。
【図７】本発明の実施例８を説明する図であり、
【図８】従来例を説明する図であり、
【符号の説明】
１  湾曲調整具
２  前後一対のブラケット
２’ブラケットの補強リブ
３  伸縮具
４  底部
５  起立部
６  左右一対の耳部
７  枢軸孔
８  ネジ挿通孔
９  ４９、５１、５２  スノーボード（雪面滑走用具の一例）
１０  デッキ（スノーボードの上面）
１１  ビンディング
１２  ベースプレート
１３、１４  前後一対のネジ付きロッド
１５  回転操作筒
１６、１６’  ネジ付きロッドのネジ
１７  ネジ付きロッドの扁平部
１８  枢軸
１９  ボールジョイント
２０  ソケット
２１  球体
２２、２２’  回転操作筒のネジ
２３、４４  キャンバー部
２３’キャンバー部の頂部
２４  取付ネジ
２５、４１  ノーズ部
２６、４２  テール部
２７、４７  前方接雪部
２８、４８  後方接雪部
２９、４５、５０  前方湾曲部
３１、３２  引っ張りバネ
３１’、３２’  圧縮バネ
３５  略山形のブラケット
３５’補強垂直壁
３７  操作ハンドル
３８  取付部
３９  湾曲アーム
３３、３４  前後一対のロッド
３０、４８  後方湾曲部
４０  雪上滑走用具
４３  中央部
Ｓ  雪面
ｐ  キャンバー部の頂部
【図１】
2005013518.tif 000003
【図２】
2005013518.tif 000004
【図３】
2005013518.tif 000005
【図４】
2005013518.tif 000006
【図５】
2005013518.tif 000007
【図６】
2005013518.tif 000008
【図７】
2005013518.tif 000009
【図８】
2005013518.tif 000010